(57)【特許請求の範囲】
【請求項１】
浴室内を暖房乾燥するための暖房乾燥機本体と、温水を生成して前記暖房乾燥機本体に供給するための熱源機とを具備する浴室暖房乾燥機であって、
前記熱源機のガス消費量及び前記暖房乾燥機本体の電力消費量に基づいてランニングコストを算出するためのランニングコスト演算手段と、前記ランニングコスト演算手段により算出したランニングコストを表示するランニングコスト表示手段とを備え、
前記ランニングコスト演算手段は、運転初期の非定常運転状態における非定常運転コストを演算する非定常運転コスト演算手段と、前記非定常運転状態後の定常運転状態における定常運転コストを演算する定常運転コスト演算手段とを含み、前記非定常運転コスト演算手段により演算された前記非定常運転コスト及び前記定常運転コスト演算手段により演算された前記定常運転コストに基づいて前記ランニングコストを算出することを特徴とする浴室暖房乾燥機。
【請求項２】
乾燥運転及び／又は暖房運転においては、前記暖房乾燥機本体及び前記熱源機が作動され、前記非定常運転コスト演算手段は、前記非定常運転状態における前記熱源機のガス消費量及び前記暖房乾燥機本体の電力消費量に基づいて前記非定常運転状態における非定常運転コストを演算し、前記定常運転コスト演算手段は、前記定常運転状態における前記熱源機のガス消費量及び前記暖房乾燥機本体の電力消費量に基づいて前記定常運転状態における定常運転コストを演算することを特徴とする請求項１に記載の浴室暖房乾燥機。
【請求項３】
前記暖房乾燥機本体は、浴室内の空気との間の熱交換により加熱する熱交換器を備え、前記熱源機の供給側と前記熱交換器の流入側とは温水供給ラインを介して接続され、前記熱源機の戻り側と前記熱交換器の流出側とは温水戻りラインを介して接続され、前記熱交換器の前記流出側に関連して、温水の戻り温度を検知するための温水戻り温度検知手段が設けられており、
前記温水戻り温度検知手段の検知温度の単位時間当たりの温度差が第１所定温度以下になると、前記熱源機及び前記暖房乾燥機本体は、前記非定常運転状態から前記定常運転状態に切り換えられることを特徴とする請求項１又は２に記載の浴室暖房乾燥機。
【請求項４】
前記非定常運転コスト演算手段は、前記熱源機のガス消費量に基づくガスコストについては一定額とし、前記暖房乾燥機本体の電力消費量に基づく電力コストについては単位時間当たりの電力消費量及び非定常運転の運転時間に基づいて演算して前記非定常運転コストを算出し、また定常運転コスト演算手段は、前記熱源機のガス消費量に基づくガスコストについては単位時間当たりのガス消費量及び定常運転の運転時間に基づいて演算し、前記暖房乾燥機本体の電力消費量に基づく電力コストについては単位時間当たりの電力消費量及び定常運転の運転時間に基づいて演算して前記定常運転コストを算出することを特徴とする請求項２に記載の浴室暖房乾燥機。
【請求項５】
換気運転及び／又は涼風運転においては、前記暖房乾燥機本体が定常運転状態で作動され、前記定常運転コスト演算手段は、前記暖房乾燥機本体の単位時間当たりの電力消費量及び定常運転の運転時間に基づいて前記定常運転コストを演算し、前記ランニングコスト演算手段は、前記定常運転コスト演算手段により演算した前記定常運転コストを前記ランニングコストとすることを特徴とする請求項１〜４のいずれかに記載の浴室暖房乾燥機。
【発明の詳細な説明】
【技術分野】
【０００１】
本発明は、浴室内を暖房、換気などするために用いる浴室暖房乾燥機に関する。
【背景技術】
【０００２】
近年、冬場の入浴時、暖房された居室と冷えた浴室との温度差によるヒートショックを防止するために、浴室を暖めるなどするための浴室暖房乾燥機が広く普及している（例えば、特許文献１参照）。この浴室暖房乾燥機は、浴室の天井などに取り付けられる暖房乾燥機本体と、温水を生成して暖房乾燥機本体に温水を送給する熱源機とを備え、暖房乾燥機本体は、温水を利用して加熱するための熱交換器と、浴室内の空気を循環するための循環ファンと、浴室内の空気を換気するための換気ファンとを有している。
【０００３】
この浴室暖房乾燥機を乾燥運転（又は暖房運転）するときには、暖房乾燥機本体及び熱源機が作動され、暖房乾燥機本体において電力が消費され、熱源機において燃料用ガスが消費される。また、換気運転（又は涼風運転）するときには、暖房乾燥機本体が作動され、暖房乾燥機本体において電力が消費される（熱源機は作動されず、燃料用ガスは消費されない）。
【先行技術文献】
【特許文献】
【０００４】
【特許文献１】特開２００３−２７９０９１号公報
【発明の概要】
【発明が解決しようとする課題】
【０００５】
近年、環境に優しい機器の一つとして、ランニングコストを表示して省エネルギーを意識して運転する機器が注目され、この浴室暖房乾燥機の分野においてもその機能を備えたものの実用化が望まれている。
【０００６】
しかしながら、浴室暖房乾燥機においては、ランニングコストを表示する機能を有するものはなく、ランニングコストを表示することができなかった。このランニングコストを表示するには、熱源機にて消費される燃料用ガスの消費量を計測するために流量計測装置が必要となり、また暖房乾燥機本体にて消費される電力の消費量を計測するための電力計測装置が必要となり、ランニングコスト表示機能を持たせるためにはこれら計測装置等に起因してその構造が複雑になるとともに、製作コストが高価となる問題がある。
【０００７】
本発明の目的は、比較的簡単な構成でもってランニングコスト表示機能を持たせることができる浴室暖房乾燥機を提供することである。
【課題を解決するための手段】
【０００８】
本発明の請求項１に記載の浴室暖房乾燥機は、浴室内を暖房乾燥するための暖房乾燥機本体と、温水を生成して前記暖房乾燥機本体に供給するための熱源機とを具備する浴室暖房乾燥機であって、
前記熱源機のガス消費量及び前記暖房乾燥機本体の電力消費量に基づいてランニングコストを算出するためのランニングコスト演算手段と、前記ランニングコスト演算手段により算出したランニングコストを表示するランニングコスト表示手段とを備え、
前記ランニングコスト演算手段は、運転初期の非定常運転状態における非定常運転コストを演算する非定常運転コスト演算手段と、前記非定常運転状態後の定常運転状態における定常運転コストを演算する定常運転コスト演算手段とを含み、前記非定常運転コスト演算手段により演算された前記非定常運転コスト及び前記定常運転コスト演算手段により演算された前記定常運転コストに基づいて前記ランニングコストを算出することを特徴とする。
【０００９】
また、本発明の請求項２に記載の浴室暖房乾燥機では、乾燥運転及び／又は暖房運転においては、前記暖房乾燥機本体及び前記熱源機が作動され、前記非定常運転コスト演算手段は、前記非定常運転状態における前記熱源機のガス消費量及び前記暖房乾燥機本体の電力消費量に基づいて前記非定常運転状態における非定常運転コストを演算し、前記定常運転コスト演算手段は、前記定常運転状態における前記熱源機のガス消費量及び前記暖房乾燥機本体の電力消費量に基づいて前記定常運転状態における定常運転コストを演算することを特徴とする。
請求項１に記載の浴室暖房乾燥機。
【００１０】
また、本発明の請求項３に記載の浴室暖房乾燥機では、前記暖房乾燥機本体は、浴室内の空気との間の熱交換により加熱する熱交換器を備え、前記熱源機の供給側と前記熱交換器の流入側とは温水供給ラインを介して接続され、前記熱源機の戻り側と前記熱交換器の流出側とは温水戻りラインを介して接続され、前記熱交換器の前記流出側に関連して、温水の戻り温度を検知するための温水戻り温度検知手段が設けられており、
前記温水戻り温度検知手段の検知温度の単位時間当たりの温度差が第１所定温度以下になると、前記熱源機及び前記暖房乾燥機本体は、前記非定常運転状態から前記定常運転状態に切り換えられることを特徴とする。
【００１１】
また、本発明の請求項４に記載の浴室暖房乾燥機では、前記非定常運転コスト演算手段は、前記熱源機のガス消費量に基づくガスコストについては一定額とし、前記暖房乾燥機本体の電力消費量に基づく電力コストについては単位時間当たりの電力消費量及び非定常運転の運転時間に基づいて演算して前記非定常運転コストを算出し、また定常運転コスト演算手段は、前記熱源機のガス消費量に基づくガスコストについては単位時間当たりのガス消費量及び定常運転の運転時間に基づいて演算し、前記暖房乾燥機本体の電力消費量に基づく電力コストについては単位時間当たりの電力消費量及び定常運転の運転時間に基づいて演算して前記定常運転コストを算出することを特徴とする。
【００１２】
更に、本発明の請求項５に記載の浴室暖房乾燥機では、換気運転及び／又は涼風運転においては、前記暖房乾燥機本体が定常運転状態で作動され、前記定常運転コスト演算手段は、前記暖房乾燥機本体の単位時間当たりの電力消費量及び定常運転の運転時間に基づいて前記定常運転コストを演算し、前記ランニングコスト演算手段は、前記定常運転コスト演算手段により演算した前記定常運転コストを前記ランニングコストとすることを特徴とする。
【発明の効果】
【００１３】
本発明の請求項１に記載の浴室暖房乾燥機によれば、ランニングコスト演算手段は、熱源機のガス消費量及び暖房乾燥機本体の電力消費量に基づいてランニングコストを算出するので、浴室暖房乾燥機を作動させたときのランニングコストを所要の通りに算出することができ、この算出したランニングコストをランニングコスト表示手段に表示することによって、浴室暖房乾燥機を作動させたときのランニングコストを容易に知ることができる。また、ランニングコスト演算手段は、非定常運転コストを演算する非定常運転コスト演算手段と、定常運転コストを演算する定常運転コスト演算手段とを含んでいるので、非定常運転コスト演算手段により演算された非定常運転状態における非定常運転コスト及び定常運転コスト演算手段により演算された定常運転状態における定常運転コストに基づいてランニングコストを算出することができる。このランニングコストを算出するときに、例えば、熱源機については単位時間当たりの定格ガス消費量を用い、暖房乾燥機本体については単位時間当たりの定格電力消費量を用いることによって、比較的簡単にランニングコストを算出することができる。
【００１４】
また、本発明の請求項２に記載の浴室暖房乾燥機によれば、乾燥運転（及び／又は暖房運転）においては、暖房乾燥機本体及び熱源機が作動され、非定常運転コスト演算手段は、非定常運転状態における熱源機のガス消費量及び暖房乾燥機本体の電力消費量に基づいて非定常運転状態における非定常運転コストを演算し、また定常運転コスト演算手段は、定常運転状態における熱源機のガス消費量及び暖房乾燥機本体の電力消費量に基づいて定常運転状態における定常運転コストを演算するので、乾燥運転（及び／又は暖房運転）における非定常運転コスト及び定常運転コストを比較的簡単に算出することができる。
【００１５】
また、本発明の請求項３に記載の浴室暖房乾燥機では、暖房乾燥機本体の熱交換器の流出側に関連して設けられた温水戻り温度検知手段の検知温度の単位時間当たりの温度差が第１所定温度以下になると、熱源機及び前記暖房乾燥機本体の運転状態が安定し、この時点でもって熱源機及び暖房乾燥機本体を非定常運転状態から定常運転状態に切り換え、非定常運転状態における非定常運転コスト及び定常運転状態の定常運転コストを演算してランニングコストを算出することによって、比較的簡単に且つ運転状態に即したランニングコストを算出することができる。
【００１６】
また、本発明の請求項４に記載の浴室暖房乾燥機によれば、非定常運転状態においては、熱源機のガス消費量に基づくガスコストについては一定額とし、暖房乾燥機本体の電力消費量に基づく電力コストについては単位時間当たりの電力消費量及び非定常運転の運転時間に基づいて演算するので、非定常運転コストを簡単に演算することができる。また、定常運転状態においては、熱源機のガス消費量に基づくガスコストについては単位時間当たりのガス消費量及び定常運転の運転時間に基づいて演算し、暖房乾燥機本体の電力消費量に基づく電力コストについては単位時間当たりの電力消費量及び定常運転の運転時間に基づいて演算するので、定常運転コストを簡単に算出することができる。
【００１７】
更に、本発明の請求項５に記載の浴室暖房乾燥機によれば、換気運転（及び／又は涼風運転）においては、定常運転コスト演算手段は、暖房乾燥機本体の単位時間当たりの電力消費量及び定常運転の運転時間に基づいて定常運転コストを演算し、ランニングコスト演算手段は、この定常運転コストをランニングコストとするので、換気運転（及び／又は涼風運転）におけるランニングコストも簡単に算出することができる。
【図面の簡単な説明】
【００１８】
【図１】本発明に従う浴室暖房乾燥機の一実施形態を示す断面図。
【図２】図１の浴室暖房乾燥機を運転制御する操作リモコンを示す正面図。
【図３】図１の浴室暖房乾燥機を制御する制御系を示すブロック図。
【図４】浴室暖房乾燥機の運転時間とガス消費量（及び熱交換器往き側の温水温度、その戻り側の温水温度）との関係を示す図。
【図５】浴室暖房乾燥機の運転時間と熱交換器の戻り側温水の温度差（及びガス消費量）との関係を示す図。
【図６】浴室暖房乾燥機を乾燥運転したときのランニングコストの算出の流れを示すフローチャート。
【図７】浴室暖房乾燥機を換気運転したときのランニングコストの算出の流れを示すフローチャート。
【発明を実施するための形態】
【００１９】
以下、添付図面を参照して、本発明に従う浴室暖房乾燥機の一実施形態について説明する。図１において、図示の浴室暖房乾燥機は暖房乾燥機本体２を備え、この暖房乾燥機本体２は例えば浴室の天井に取り付けられる。この暖房乾燥機本体２内には、循環流路４及び換気流路６が設けられている。循環流路４は、暖房乾燥機本体２内において図１の左部から中間部にわたって設けられ、この循環流路４に、空気を加熱するための熱交換器８と、浴室内の空気を循環するための循環ファン１０とが設けられている。熱交換器８は複数本の中空パイプ１２を有し、加熱媒体としての温水が後述する如くしてこれら中空パイプ１２を通して流れる。循環ファン１０は、矢印１８で示す方向に回転駆動される循環羽根体１４を備えている。
【００２０】
暖房乾燥機本体２の下面には、浴室内の空気を吸入するための吸入口２０と、浴室内に空気を吹き出すための吹出し口２２が設けられ、循環流路４の上流端部は吸入口２０に連通し、その下流端部は吹出し口２２に連通している。循環羽根体１４が矢印１８で示す方向に回動すると、浴室内の空気は吸入口２０を通して吸入され、循環流路４を実線矢印で示すように流れた後吹出し口２２から浴室内に吹き出され、このようにして浴室内の空気が循環流路４を通して循環される。吹出し口２２には、吹き出す空気の風向きを変えるためのルーバ２４が配設されている。ルーバ２４は揺動軸２６を中心として揺動自在に支持され、ルーバ用モータ２８（図３参照）によって揺動される。
【００２１】
また、換気流路６は、暖房乾燥機本体２内において図１の中間部から右部にわたって設けられている。暖房乾燥機本体２の下面には換気口３０が設けられ、暖房乾燥機本体２の側面（図１における右側面）には排気口（図示せず）が設けられ、換気流路６の上流端部が換気口３０に連通し、その下流端部が排気口に連通している。この換気流路６には換気ファン３２が配設されている。換気ファン３２は換気羽根体３４を備え、この換気羽根体３４が矢印３８で示す方向に回転駆動されると、浴室内の空気は換気口３０を通して吸引され、換気流路６を破線矢印で示すように流れて排出口（図示せず）から屋外に排出される。
【００２２】
熱交換器８には、加熱媒体としての温水が熱源機４０から供給される。熱源機４０は例えばガス給湯装置から構成され、燃料用ガスを燃焼させて温水を生成するための燃焼バーナ４５及び温水を熱交換器８に送給するための送給ポンプ４８を備えている。この熱源機４０の供給側接続部４４が温水供給ライン４６を介して熱交換器８の流入側に接続され、またその戻り側接続部４８が温水戻りライン５０を介して熱交換器８の流出側に接続され、温水供給ライン４６には、このライン４６を開閉するための熱動弁５２が配設されている。かく構成されているので、熱動弁５２が開状態になると、熱源機４０にて生成された温水（例えば、８０℃程度の温水）は、供給ライン４６を通して熱交換器８に供給され、その複数本の中空パイプ１２を通して流れた後に戻りライン５０を通して熱源機４０に戻り、熱交換器８にて中空パイプ１２内を流れる温水と循環流路４を流れる空気との間で熱交換が行われる。
【００２３】
この浴室暖房乾燥機は、図２に示す操作リモコン６０を含み、この操作リモコン６０を用いて操作運転される。操作リモコン６０は、浴室暖房乾燥機の運転モードを設定するための運転モード設定手段６２を備え、この実施形態では、この運転モード設定手段６２は、暖房運転モードを設定する暖房スイッチ６４、乾燥運転モードを設定する乾燥スイッチ６６、換気運転モードを設定する換気スイッチ６８及び涼風運転モードを設定する涼風スイッチ７０から構成されている。
【００２４】
リモコン６０は、更に、浴室暖房乾燥機の運転を停止させるための停止スイッチ７２、ルーバ２４の角度位置を設定する（即ち、ルーバ２４から吹き出す空気の風向を設定する）風向スイッチ７４、運転時間を設定するための時間設定スイッチ７６及び浴室温度を設定するための温度設定スイッチ７８を備えている。時間設定スイッチ７６は、設定時間を所定時間（例えば、１分）ずつアップさせるためのアップスイッチ８０と、設定時間を所定時間（例えば、１分）ずつダウンさせるためのダウンスイッチ８２とから構成され、また温度設定スイッチ７８は、浴室の設定温度を所定温度（例えば、１℃）ずつアップさせるためのアップスイッチ８４と、浴室の設定温度を所定温度（例えば、１℃）ずつダウンさせるためのダウンスイッチ８６とから構成されている。
【００２５】
リモコン６０は、更に、表示手段８８及び送受信手段８９（図３参照）を含んでいる。表示手段８８は液晶表示装置などから構成され、運転モード設定手段６２により設定された運転モード、時間設定スイッチ７６により設定された設定時間、温度設定スイッチ７８により設定された設定温度、更には後述する如くして算出されたランニングコストなどを表示し、また、送受信手段８９は運転モード設定手段６２により設定された運転信号、時間設定スイッチ７６により設定された時間設定信号、温度設定スイッチ７８により設定された温度設定信号、風向スイッチ７４により設定された風向設定信号、停止スイッチ７２により設定された停止信号などをコントローラ９０（図３参照）に送信するとともに、コントローラ９０からのランニングコスト信号（後述する）を受信する。
【００２６】
この実施形態では、浴室暖房乾燥機は、図３に示すようなコントローラ９０によって作動制御される。図示のコントローラ９０は、例えばマイクロプロセッサから構成される制御手段９２、温度差演算手段９４、第１温度上昇判定手段９６、第２温度判定手段９８、定常状態判定手段１００及び異常信号生成手段１０２を備えている。制御手段９２は、熱源機４０及び暖房乾燥機本体２を後述する如く制御し、温度差演算手段９４は、熱交換器８の流出側の温水の温度差を後述する如く演算し、第１温度上昇判定手段９６は、熱交換器８の流出側の温水の温度差が第１所定温度（例えば、２℃程度に設定される）以下になると、熱源機４０からの温水が所要の通りに送給されて空気の加温状態が安定したと判定し、また第２温度上昇判定手段９６は、熱交換器８の流出側の温水の温度差が第２所定温度（例えば、５℃程度に設定される）以上になると、熱源機４０からの温水が所要の通りに送給されて空気の加熱が行われていると判定する。また、異常信号生成手段１０２は、後述する場合に異常信号を生成する。尚、この第２温度上昇判定手段９６は、省略することもできる。
【００２７】
コントローラは、更に、計時手段１０４、時間演算手段１０６、ランニングコスト演算手段１１２、第１メモリ１１４及び第２メモリ１１６を含み、このランニングコスト演算手段１１２は、非定常運転コスト演算手段１０８及び定常運転コスト演算手段１１０を含んでいる。計時手段１０４は時間を計時し、時間演算手段１０６は、後述する如くして定常運転の運転時間を演算する。また、非定常運転コスト演算手段１０８は、次のようにして非定常運転状態における非定常運転コストを演算し、定常運転コスト演算手段１１０は、次のようにして定常運転状態における定常運転コストを演算し、ランニングコスト演算手段１１２は、非定常運転コスト及び定常運転コストに基づきランニングコストを算出する。算出されたランニングコストに関するランニングコスト情報（即ち、ランニングコスト信号）は、送受信手段１１８を介して操作リモコン６０に送信される。また、第１メモリ１１４には、非定常運転時間、定常運転時間、非定常運転コスト、定常運転コスト及びランニングコストなどの情報が記憶され、これら情報の一部又は全部は浴室暖房乾燥機の運転毎に更新される。更に、第２メモリ１１６には、単位時間当たりのガス消費量、単位時間当たりの電力消費量、ガス料金単価、電気料金単価及び非定常運転時のガス消費料金などが登録される。
【００２８】
この浴室暖房乾燥機では、各種温度を検知するために、次のように構成されている。暖房乾燥機本体２の熱交換器８の流入側に温水往き温度検知手段１２０が設けられ、この温水往き温度検知手段１２０は、熱交換器８に流入する温水の温度を検知する。また、暖房乾燥機本体２の熱交換器８の流出側に温水戻り温度検知手段１２２が設けられ、この温水戻り温度検知手段１２２は、熱交換器８から流出する温水の温度を検知する。
【００２９】
この浴室暖房乾燥機においては、衣類を乾燥させる乾燥運転及び浴室を暖房する暖房運転においては、暖房乾燥機本体２及び熱源機４０が作動される。即ち、乾燥運転においては、熱源機４０（即ち、燃焼バーナ４５及び送給ポンプ４７）が作動されて熱源機４０からの温水が温水供給ライン４６、暖房乾燥機本体２の熱交換器８及び温水戻りライン５０を通して循環される。また暖房乾燥機本体４が作動されて循環ファン１０及び換気ファン３２が作動され、循環ファン１０によって浴室内の空気が循環流路４を通して流れ、熱交換器８にて温水との間で熱交換により加温された空気が吹出し口２２から吹き出し、また換気ファン３２によって浴室内の空気が換気流路６を通して外部に換気される。また、暖房運転においては、熱源機４０が作動されて熱源機４０からの温水が温水供給ライン４６、暖房乾燥機本体２の熱交換器８及び温水戻りライン５０を通して循環され、また暖房乾燥機本体４の循環ファン１０が作動され、浴室内の空気が循環流路４を通して流れ、熱交換器８にて加温された空気が吹出し口２２から吹き出す。
【００３０】
また、浴室内を換気する換気運転及び浴室内を送風する涼風運転においては、暖房乾燥機本体２が作動され、熱源機４０は作動されない。即ち、換気運転においては、暖房乾燥機本体４の換気ファン３２が作動され、この換気ファン３２によって浴室内の空気が換気流路６を通して外部に換気される。また、涼風運転においては、暖房乾燥機本体４の循環ファン１０が作動され、浴室内の空気が循環流路４を通して循環されて吹出し口２２から吹き出す。
【００３１】
この浴室暖房乾燥機では、各種運転におけるランニングコストは、次のようにして演算される。乾燥運転（又は暖房運転）においては、熱源機４０及び暖房乾燥機本体２が作動され、ランニングコスト演算手段１１２は、熱源機４０のガス消費量及び暖房乾燥機本体２の電力消費量に基づいてランニングコストを演算する。
【００３２】
浴室暖房乾燥機の乾燥運転（又は暖房運転）では、運転開始からの時間とガス消費量との関係は、図４及び図５に示す通りとなり、浴室内の温度が安定するまではガス消費量は大きく変動し、浴室内の温度が安定するとガス消費量は大きく変動せずほぼ一定となる。このようなことから、浴室内の温度が安定するまでは浴室暖房乾燥機（具体的には、熱源機４０）は非定常運転状態で運転されるとし、その温度が安定した後は浴室暖房乾燥機は定常運転状態で運転されるとしてランニングコストを演算している。
【００３３】
この実施形態では、浴室内の温度の安定を暖房乾燥機本体２の熱交換器８の流出側の温水温度（即ち、温水戻り温度検知手段１２２の検知温度）の差（例えば、５〜１２秒間に設定される時間、例えば１０秒間の温度差）を利用して判断しており、この温度差が第１所定温度以下になると、熱交換器８での空気と温水との間の熱交換の度合いが低く、浴室の温度がある程度安定したと判断することができる。
【００３４】
このようなことから、熱交換器８の流出側の温水の温度差が第１所定温度以下になると、定常状態判定手段１００は浴室内の温度が有る程度安定したとして定常状態と判定し、浴室暖房乾燥機（暖房乾燥機本体２及び熱源機４０）は非定常運転状態から定常運転状態となる。尚、この形態では、熱交換器８の流出側温水の温度差を利用して定常運転状態になったかを判断しているが、他のパラメータを利用して判断するようにしてもよい。
【００３５】
そして、このことに関連して、非定常運転状態における非定常運転コストについては非定常運転コスト演算手段１０８が演算し、定常運転状態における定常運転コストについては定常運転コスト演算手段１１０が演算する。この実施形態では、非定常運転コストを浴室暖房乾燥機の運転状況に即して比較的簡単に演算するために、ガス消費料金（Ｇ１）については一律に一定金額（例えば、６円）とし（定常運転状態のガス消費量に比して非定常運転状態におけるガス消費量が少なく、それ故に、非定常運転状態におけるガス消費量を一定にしてそのガス消費料金については一律とすることができる）、電力消費料金（Ｄ１）については、暖房乾燥機本体２の単位時間当たりの定格電力消費量、即ち循環ファン１０及び換気ファン３２の単位時間当たりの定格電力消費量（又は暖房運転では循環ファン１０の単位時間当たりの定格電力消費量）を用い、この定格電力消費量、非定常運転状態の運転時間及び電気料金単価に基づいて演算することができ、この電力消費料金（Ｄ１）は、
Ｄ１＝単位時間当たりの定格電力消費量×非定常運転状態の運転時間×電力料金単価
により算出される。
【００３６】
また、定常運転コストを浴室暖房乾燥機の運転状況に即して比較的簡単に演算するために、ガス消費料金（Ｇ２）については、ガス消費量が安定していることから、熱源機４０（即ち、燃焼バーナ４５）の単位時間当たりの定格ガス消費量を用い、この定格ガス消費量、定常運転状態の運転時間及びガス料金単価に基づいて演算することができ、このガス消費料金（Ｇ２）は、
Ｇ２＝単位時間当たりの定格ガス消費量×定常運転状態の運転時間×ガス料金単価
により算出される。また、電力消費料金（Ｄ２）については、暖房乾燥機本体２の単位時間当たりの定格電力消費量、即ち循環ファン１０及び換気ファン３２の単位時間当たりの定格電力消費量（又は暖房運転では循環ファン１０の単位時間当たりの定格電力消費量）を用い、この定格電力消費量、定常運転状態の運転時間及び電気料金単価に基づいて演算することができ、この電力消費料金（Ｄ２）は、
Ｄ２＝単位時間当たりの定格電力消費量×定常運転状態の運転時間×電力料金単価
により算出される。
【００３７】
また、換気運転（又は涼風運転）においては、暖房乾燥機本体が作動され、ランニングコスト演算手段１１２は、暖房乾燥機本体２の電力消費量に基づいてランニングコストを演算する。
【００３８】
浴室暖房乾燥機の換気運転（又は涼風運転）では、このランニングコストを浴室暖房乾燥機の運転状況に即して比較的簡単に演算するために、定常運転コスト演算手段１１０が次のようにして演算する。この場合、暖房乾燥機本体４が作動されて電力は消費されるが、熱源機４０が作動されず、燃料用ガスは消費されることはない。従って、定常運転コスト演算手段１１０は、電力消費料金（Ｄ３）について、暖房乾燥機本体２の単位時間当たりの定格電力消費量、即ち換気ファン３２の単位時間当たりの定格電力消費量（涼風運転では循環ファン１０の単位時間当たりの定格電力消費量）を用い、この定格電力消費量、定常運転状態の運転時間及び電気料金単価に基づいて演算することができ、この電力消費料金（Ｄ３）は、
Ｄ３＝単位時間当たりの定格電力消費量×定常運転状態の運転時間×電力料金単価
により算出される。
【００３９】
次に、主として図３、図６及び図７を参照して、上述した浴室暖房乾燥機におけるランニングコスト算出の流れについて説明する。まず、図３及び図６を参照して乾燥運転について説明すると、操作リモコン６０の乾燥スイッチ６６をオン操作する（ステップＳ１）と、熱源機４０が作動して温水が生成され（ステップＳ２）、生成された温水が温水供給ライン４６、暖房乾燥機本体２の熱交換器８及び温水戻りライン５０を通して循環される。また、暖房乾燥機本体２が作動し（ステップＳ３）、その循環ファン１０が作動して浴室内の空気が循環流路４を通して循環され、この循環の際に熱交換器８にて温水との間の熱交換によって空気が加温される。また、その換気ファン３２が作動され、浴室内の空気が換気流路６を通して外部に換気される。このようにして浴室暖房乾燥機の非定常運転が開始される（ステップＳ４）。
【００４０】
このようにして非定常運転が開始されると、計時手段１０４が作動して計時を開始し（ステップＳ５）、温水戻り温度検知手段１２２が熱交換器８の流出側から流出した温水の温度を検知し（ステップＳ６）、コントローラ９０の温度差演算手段９４がその温度差（例えば、１０秒前の温度との温度差）を演算し、この戻り温度の温度差が５℃以上に達しないときには、ステップＳ７からステップＳ８に進む。ステップＳ８においては、非定常運転の開始から第１所定時間（例えば、２０分程度に設定される）経過したかが判断され、第１所定時間経過しないときにはステップＳ７に戻るが、第１所定時間経過すると、熱交換器８における空気との熱交換が不充分で空気の温度上昇が少なく（換言すると、熱交換が不充分で温水の温度低下が少ない）、温水の生成に何らかの異常が発生しているとしてステップＳ９に進む。
【００４１】
ステップＳ９においては、コントローラ９０の異常信号生成手段１０２が異常信号を生成し、制御手段９２は、この異常信号に基づいてランニングコストの演算を中止し（ステップＳ１０）、更にランニングコスト算出のエラー表示が行われ、（ステップＳ１１）、このようにしてランニングコストの演算が終了する。
【００４２】
ステップＳ７において、戻り温度の温度差が５℃以上に達すると、第２温度判定手段９８は、熱源機４０において正常に温水が生成されて温水の戻り温度が所要の通り上昇し熱交換器８にて熱交換が行われていると判定する。そして、ステップＳ７からステップＳ１２に移り、温度差演算手段９４がその温度差（例えば、１０秒前の温度との温度差）を演算し、この戻り温度の温度差が２℃以下になるまでステップＳ１２からステップＳ１３に進む。ステップＳ１３においては、戻り温度の温度差が５℃以上に達してから第２所定時間（例えば、２０分程度に設定される）経過したかが判断され、第２所定時間経過しないときにはステップＳ１２に戻るが、第２所定時間経過すると、温水の循環系統に何らかの異常が発生して熱交換器８にて空気との熱交換が不充分で空気の温度上昇が少ないとしてステップＳ９に移り、その後、上述のステップＳ９からステップＳ１１が遂行され、ランニングコストの算出は途中で終了し、そのエラー表示が行われる。
【００４３】
ステップＳ１２において、戻り温度の温度差が２℃以下になると、第１温度上昇判定手段９６は、熱源機４０及び暖房乾燥機本体２の作動が正常に行われ、浴室内の温度が所要の通りに上昇してほぼ安定したと判定し、この判定に基づき、浴室暖房乾燥機の非定常運転が終了し（ステップＳ１４）、計時手段１０４が計時した運転時間、即ち非定常運転状態の運転時間が第１メモリ１１４に登録される。
【００４４】
その後、浴室暖房乾燥機は定常運転に移行し（ステップＳ１６）、定常運転状態で運転される。そして、このような定常運転状態において、操作リモコン６０の停止スイッチ７２をオン操作すると、ステップＳ１７からステップＳ１８に進み、浴室暖房乾燥機の定常運転が終了する（熱源機４０及び暖房乾燥機本体２が作動停止する）。かくすると、時間運転手段１０６は、計時手段１０４が計時した定常運転終了までの運転時間及び非定常状態の運転時間に基づいて定常運転状態の運転時間を演算し、演算された定常運転状態の運転時間が第１メモリ１１４に登録される（ステップＳ１９）。
【００４５】
このように浴室暖房乾燥機の運転が終了すると、非定常運転コスト演算手段１０８は、非定常運転におけるガス消費量に基づくガス消費料金（Ｇ１）及び電力消費量に基づく電力消費料金（Ｇ１）に基づき非定常運転コスト（Ｈ１：Ｈ１＝Ｇ１＋Ｄ１）を演算し（ステップＳ２０）、また定常運転コスト演算手段１１０は、定常運転におけるガス消費量に基づくガス消費料金（Ｇ２）及び電力消費量に基づく電力消費料金（Ｇ２）に基づき定常運転コスト（Ｈ２：Ｈ２＝Ｇ２＋Ｄ２）を演算する（ステップＳ２１）。そして、ランニングコスト演算手段１１２は、非定常運転コスト演算手段１０８による非定常運転コスト（Ｈ１）及び定常運転コスト演算手段１１０による定常運転コスト（Ｈ２）に基づきトータル運転コスト、即ちランニングコスト（Ｒ：Ｒ＝Ｈ１＋Ｈ２）を演算し（ステップＳ２２）、このランニングコスト情報がコントローラ９０から操作リモコン６０に送信されてその表示手段８８に表示される（ステップＳ２３）。尚、演算された非定常運転コスト（Ｈ１）、定常運転コスト（Ｈ２）及びランニングコスト（Ｒ）は、第１メモリ１１４に登録される。
【００４６】
乾燥運転におけるランニングコストについては、上述したように算出されるが、暖房運転におけるランニングコストについても、上述した乾燥運転のときと同様にして算出することができ、乾燥運転においては熱源機４０並びに暖房乾燥機本体４の循環ファン１０及び換気ファン３２が作動されるが、暖房運転においては熱源機４０及び暖房乾燥機本体４の循環ファン１０が作動される。
【００４７】
次に、主として図３及び図７を参照して、換気運転におけるランニングコスト算出の流れについて説明する。操作リモコン６０の換気スイッチ６８をオン操作する（ステップＳ３１）と、暖房乾燥機本体４が作動し（ステップＳ３２）、その換気ファン３２が作動して浴室内の空気が換気流路６（図１参照）を通して外部に排出され、このようにして浴室暖房器の換気運転が開始され（ステップＳ３３）、かく開始すると、計時手段１０４が作動して計時を開始する（ステップＳ３４）。
【００４８】
その後、換気運転を終了するために操作リモコン６０の停止スイッチ７２をオンすると、ステップＳ３５からステップＳ３６に進み、浴室暖房乾燥機の換気運転が終了し、暖房乾燥機本体２の換気ファン３２が作動停止する。かくすると、計時手段１０４が計時した乾燥運転の運転時間がコントローラ９０の第１メモリ部１１４に登録され（ステップＳ３７）、定常運転コスト演算手段１１０は、この換気運転の定常運転コストを上述したようにして演算し（ステップＳ３８）、ランニングコスト演算手段１１２は、この定常運転コストを換気運転のランニングコストとし、このランニングコスト情報が操作リモコン６０に送信されて表示手段８８に表示される。
【００４９】
以上、本発明に従う浴室暖房乾燥機の一実施形態について説明したが、本発明はかかる実施形態に限定されるものではなく、本発明の範囲を逸脱することなく種々の変形又は修正が可能である。
【００５０】
例えば、上述した実施形態では、浴室暖房乾燥機の乾燥運転、暖房運転、換気運転及び涼風運転におけるランニングコストを算出して運転終了後に表示するようにしているが、ランニングコストの大きい乾燥運転及び暖房運転（換言すると、燃料用ガスを使用する運転）についてランニングコストを算出して表示するようにしてもよく、或いは乾燥運転及び暖房運転のいずれか一方の運転においてランニングコストを算出して表示するようにしてもよい。
【符号の説明】
【００５１】
２  暖房乾燥機本体
８  熱交換器
１０  循環ファン
３２  換気ファン
４０  熱源機
６０  操作リモコン
９０  コントローラ
９４  温度差演算手段
１０８  非定常運転コスト演算手段
１１０  定常運転コスト演算手段
１１２  ランニングコスト演算手段
１２２  温水戻り温度検知手段
【図１】
0005922966.tif 000002
【図２】
0005922966.tif 000003
【図３】
0005922966.tif 000004
【図４】
0005922966.tif 000005
【図５】
0005922966.tif 000006
【図６】
0005922966.tif 000007
【図７】
0005922966.tif 000008